(57)【要約】【課題】手書き入力部を備えた電子辞書装置で、分類した手書きの文字を任意の見出し語に関連付けて記憶し当該分類した手書きの文字から関連する見出し語を容易に検索する。【解決手段】所望の見出し語を検索し表示部(メイン画面)16に表示させた際、手書き入力部(サブ画面)にて所望の手書きメモMmを入力し、同手書き入力部に表示させた分類ラベル(「重要」「注意」「中間」「期末」など)Ln…の一覧から所望の分類ラベルLnをペンタッチして選択すると、当該所望の分類ラベルLnが貼り付けられて分類された手書きメモMmが前記検索された見出し語に対応付けられて登録される。そして表示部16に一覧表示させた分類ラベル指定タブKn…により所望の分類ラベルを指定すると、当該指定の分類ラベルLnが貼り付けられて登録された手書きメモMmが読み出されて同表示部16に一覧表示され、この所望の分類の手書きメモから対応する見出し語とその説明情報を呼び出し表示できる。【選択図】      図８
2010097349.tif 000002
【特許請求の範囲】
【請求項１】
手書き入力部と、複数の見出し語と当該見出し語の説明情報とを対応付けて記憶している辞書記憶手段とを有する電子装置であって、
ユーザ操作に応じて、前記辞書記憶手段に記憶されている任意の見出し語に前記手書き入力部により入力された手書きメモを対応付けて登録する手書きメモ登録手段と、
この手書きメモ登録手段により登録される手書きメモに、ユーザ操作に応じて任意の分類情報を付加する分類情報付加手段と、
この分類情報付加手段により分類情報が付加されて前記手書きメモ登録手段により登録された手書きメモを、当該分類情報別に表示させる分類別手書きメモ表示制御手段と、
を備えたことを特徴とする手書き入力部を備えた辞書機能を有する電子装置。
【請求項２】
複数種類の分類ラベルを記憶する分類ラベル記憶手段をさらに備え、
前記分類情報付加手段は、前記分類ラベル記憶手段により記憶された複数種類の分類ラベルを前記手書き入力部に一覧表示させる分類一覧表示制御手段を有し、この分類一覧表示制御手段により前記手書き入力部に一覧表示された複数種類の分類ラベルに対するユーザ選択操作に応じて、当該選択された分類ラベルを前記手書きメモ登録手段により登録される手書きメモに付加する、
ことを特徴とする請求項１に記載の手書き入力部を備えた辞書機能を有する電子装置。
【請求項３】
前記分類別手書きメモ表示制御手段は、前記分類ラベル記憶手段により記憶された複数種類の分類ラベルを一覧表示させる分類一覧表示制御手段と、この分類一覧表示制御手段により一覧表示された複数種類の分類ラベルのうち任意の分類ラベルをユーザ操作に応じて指定する分類ラベル指定手段とを有し、この分類ラベル指定手段により指定された分類ラベルが付加されて前記手書きメモ登録手段により登録されている手書きメモを表示させる、
ことを特徴とする請求項２に記載の手書き入力部を備えた辞書機能を有する電子装置。
【請求項４】
前記分類ラベル指定手段により指定された分類ラベルが付加されて前記手書きメモ登録手段により登録されている手書きメモを、ユーザ操作に応じて消去する指定分類手書きメモ消去手段を備えたことを特徴とする請求項３に記載の手書き入力部を備えた辞書機能を有する電子装置。
【請求項５】
前記複数種類の分類ラベルは、それぞれ異なる色に色付けされて表示されることを特徴とする請求項２ないし請求項４の何れか１項に記載の手書き入力部を備えた辞書機能を有する電子装置。
【請求項６】
手書き入力部と表示部とを有する電子装置のコンピュータを制御するためのプログラムであって、
前記コンピュータを、
複数の見出し語と当該見出し語の説明情報とを対応付けて記憶している辞書記憶手段、
ユーザ操作に応じて、前記辞書記憶手段に記憶されている任意の見出し語に前記手書き入力部により入力された手書きメモを対応付けて登録する手書きメモ登録手段、
この手書きメモ登録手段により登録される手書きメモに、ユーザ操作に応じて任意の分類情報を付加する分類情報付加手段、
この分類情報付加手段により分類情報が付加されて前記手書きメモ登録手段により登録された手書きメモを、当該分類情報別に前記表示部に表示させる分類別手書きメモ表示制御手段、
として機能させるようにしたコンピュータ読み込み可能なプログラム。
【発明の詳細な説明】
【技術分野】
【０００１】
本発明は、手書きの文字を認識する機能を備えた電子辞書装置など、手書き入力部を備えた辞書機能を有する電子装置およびプログラムに関する。
【背景技術】
【０００２】
従来から、紙の辞書の機能を電子装置に置き換えたものとして電子辞書装置が存在する。この電子辞書装置は、小型な筐体に多数の辞書データを収録して利用できるなど、多くの利点を備えているものの、紙の辞書と比較して使い勝手の点で不便なことがあった。
【０００３】
紙の辞書の場合、例えば学習すべき重要な見出し語とその説明情報が載っている頁を開いた際に、メモ書きした付箋などを貼り付けて、当該メモから後々同じ見出し語の頁を簡単に開けるようにしたり、直接文字を書き込んで関連する情報を付したりすることが可能である。しかし電子辞書装置の場合、そのようなことを行うことはできない。
【０００４】
なお、電子装置であって、手書きのメモを入力し、当該入力されたメモを分類して記憶することが可能な手書きメモ入力装置が考えられている（例えば、特許文献１参照。）。
【特許文献１】特開平０８−０７６９１１号公報
【発明の開示】
【発明が解決しようとする課題】
【０００５】
従来の電子辞書装置においては、紙の辞書のように、所望の見出し語とその説明情報が載っているところに必要に応じて手書きで文字を書き込んで関連付けしたり、付箋を使用して当該付箋に書き込んだ内容から所望の見出し語が載っているところを見つけ出したりすることはできない。
【０００６】
本発明は、このような課題に鑑みなされたもので、分類した手書きの文字を任意の見出し語に関連付けて記憶し、当該分類した手書きの文字から関連する見出し語を容易に検索することが可能になる手書き入力部を備えた辞書機能を有する電子装置およびプログラムを提供することを目的とする。
【課題を解決するための手段】
【０００７】
請求項１に記載の手書き入力部を備えた辞書機能を有する電子装置は、手書き入力部と、複数の見出し語と当該見出し語の説明情報とを対応付けて記憶している辞書記憶手段とを有する電子装置であって、ユーザ操作に応じて、前記辞書記憶手段に記憶されている任意の見出し語に前記手書き入力部により入力された手書きメモを対応付けて登録する手書きメモ登録手段と、この手書きメモ登録手段により登録される手書きメモに、ユーザ操作に応じて任意の分類情報を付加する分類情報付加手段と、この分類情報付加手段により分類情報が付加されて前記手書きメモ登録手段により登録された手書きメモを、当該分類情報別に表示させる分類別手書きメモ表示制御手段と、を備えたことを特徴としている。
【０００８】
請求項２に記載の手書き入力部を備えた辞書機能を有する電子装置は、前記請求項１に記載の電子装置において、複数種類の分類ラベルを記憶する分類ラベル記憶手段をさらに備え、前記分類情報付加手段は、前記分類ラベル記憶手段により記憶された複数種類の分類ラベルを前記手書き入力部に一覧表示させる分類一覧表示制御手段を有し、この分類一覧表示制御手段により前記手書き入力部に一覧表示された複数種類の分類ラベルに対するユーザ選択操作に応じて、当該選択された分類ラベルを前記手書きメモ登録手段により登録される手書きメモに付加する、ことを特徴としている。
【０００９】
請求項３に記載の手書き入力部を備えた辞書機能を有する電子装置は、前記請求項２に記載の電子装置において、前記分類別手書きメモ表示制御手段は、前記分類ラベル記憶手段により記憶された複数種類の分類ラベルを一覧表示させる分類一覧表示制御手段と、この分類一覧表示制御手段により一覧表示された複数種類の分類ラベルのうち任意の分類ラベルをユーザ操作に応じて指定する分類ラベル指定手段とを有し、この分類ラベル指定手段により指定された分類ラベルが付加されて前記手書きメモ登録手段により登録されている手書きメモを表示させる、ことを特徴としている。
【００１０】
請求項４に記載の手書き入力部を備えた辞書機能を有する電子装置は、前記請求項３に記載の電子装置において、前記分類ラベル指定手段により指定された分類ラベルが付加されて前記手書きメモ登録手段により登録されている手書きメモを、ユーザ操作に応じて消去する指定分類手書きメモ消去手段を備えたことを特徴としている。
【００１１】
請求項５に記載の手書き入力部を備えた辞書機能を有する電子装置は、前記請求項２ないし請求項４の何れか１項に記載の電子装置において、前記複数種類の分類ラベルは、それぞれ異なる色に色付けされて表示されることを特徴としている。
【００１２】
請求項６に記載のプログラムは、手書き入力部と表示部とを有する電子装置のコンピュータを制御するためのプログラムであって、前記コンピュータを、複数の見出し語と当該見出し語の説明情報とを対応付けて記憶している辞書記憶手段、ユーザ操作に応じて、前記辞書記憶手段に記憶されている任意の見出し語に前記手書き入力部により入力された手書きメモを対応付けて登録する手書きメモ登録手段、この手書きメモ登録手段により登録される手書きメモに、ユーザ操作に応じて任意の分類情報を付加する分類情報付加手段、この分類情報付加手段により分類情報が付加されて前記手書きメモ登録手段により登録された手書きメモを、当該分類情報別に前記表示部に表示させる分類別手書きメモ表示制御手段、として機能させることを特徴としている。
【発明の効果】
【００１３】
本発明によれば、分類した手書きの文字を任意の見出し語に関連付けて記憶し、当該分類した手書きの文字から関連する見出し語を容易に検索することが可能になる手書き入力部を備えた辞書機能を有する電子装置およびプログラムを提供できる。
【発明を実施するための最良の形態】
【００１４】
以下図面により本発明の実施の形態について説明する。
【００１５】
本発明の手書き入力部を備えた辞書機能を有する電子装置は、以下に説明する電子辞書専用の携帯機器（電子辞書装置１０）として構成されるか、手書き入力部を備えた辞書機能を有するＰＤＡ(personal digital assistants)、ＰＣ(personal computer)、携帯電話、電子ブック、携帯ゲーム機などとして構成される。
【００１６】
図１は、本発明の実施形態に係る電子辞書装置１０の外観構成を示す正面図である。
【００１７】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、「登録」キー１４ｃ、「メモ」キー１４ｄ、「一括消去」キー１４ｅ、「戻る」キー１４ｆ、「機能」キー１４ｇ、カーソルキー１４ｈなどを設けたキー入力部１４、および手書き入力部（サブ画面）１５が備えられる。
【００１８】
この手書き入力部（サブ画面）１５は、ユーザがペンや指等でタッチした位置を検出するタッチ位置検出装置と表示装置が一体となった構造であり、キー入力部１４の中央手前側において例えば２５６×６４ドットの液晶表示画面に透明タブレット１５ｔを重ねて構成される。この手書き入力部１５の入力領域は、必要に応じて、手書き文字を入力するための手書き文字入力領域１５Ａや当該手書き文字を分類するための分類ラベルＬｎ…の表示領域１５Ｂに切り替えられる（図６参照）。
【００１９】
そして、前記手書き入力部１５が手書き文字入力領域１５Ａに切り替えられた状態での手書き入力に伴う軌跡は、その液晶表示画面にエコーバックして表示される。
【００２０】
また蓋体ケース１２の表面には、そのほぼ全面を対象に例えば４８０×３２０ドットのバックライト付きの液晶表示部（メイン画面）１６が設けられる。
【００２１】
図２は、前記電子辞書装置１０の電子回路の構成を示すブロック図である。
【００２２】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００２３】
ＣＰＵ２１は、ＲＯＭ（フラッシュメモリ）２２内に予め記憶された装置制御プログラム、あるいはＲＯＭカードなどの外部記憶媒体２３から記憶媒体読み書き部２４を介して前記ＲＯＭ２２に読み込まれた装置制御プログラム、あるいはインターネットＮ上のＷｅｂサーバ（この場合はプログラムサーバ）３０から通信制御部２５を介して前記ＲＯＭ２２に読み込まれた装置制御プログラムに応じて、ＲＡＭ２６に各種の作業データを格納し回路各部の動作を制御する。
【００２４】
前記ＲＯＭ２２に記憶された装置制御プログラムは、キー入力部１４および手書き入力部１５からのユーザ操作に応じた入力信号、あるいは通信制御部２５を介して接続されるインターネットＮ上の各Ｗｅｂサーバ３０…との通信信号、あるいは記憶媒体読み書き部２４を介して外部接続されるＥＥＰＲＯＭ，ＲＡＭ，ＲＯＭなどのメモリ・カード（記憶媒体）２３との接続通信信号に応じて起動される。
【００２５】
前記ＣＰＵ２１には、前記ＲＯＭ２２、記憶媒体読み書き部２４、通信制御部２５、ＲＡＭ２６、キー入力部１４、手書き入力部（サブ画面）１５が接続される他に、表示部（メイン画面）１６などが接続される。
【００２６】
ＲＯＭ２２に記憶される装置制御プログラムとしては、当該電子辞書装置１０の全体の動作を司るシステムプログラムや通信制御部２５を介してインターネットＮ上の各Ｗｅｂサーバ３０…や図示しないユーザＰＣ(Personal Computer)などとデータ通信するための通信プログラムが記憶される他に、検索文字列のキー入力に応じた見出し語検索処理や選択見出し語に対応した各種辞書情報（訳語・意味内容・例文（用例）など）の読み出し表示処理、選択見出し語に任意に分類した手書きメモを貼り付けて登録したり当該分類した手書きメモから所望の見出し語を検索したりするための手書きメモ登録／呼び出し処理など、同ＲＯＭ２２内に記憶された辞書データベース２２Ｄに基づく処理全般を制御するための辞書検索プログラム２２ａおよび手書き認識プログラム２２ｂが記憶される。
【００２７】
前記辞書データベース２２Ｄが有する複数種類の辞書コンテンツとしては、「英和辞典」「和英辞典」「国語辞典」「漢字辞典」「四字熟語辞典」「百科事典」など、種類の異なる辞書データが予め、あるいはダウンロードされて複数辞書記憶される。
【００２８】
各辞書コンテンツは、それぞれの言語に応じた所定の順番で配列された見出し語、各見出し語に対応付けられた当該見出し語の訳語・意味内容・例文（用例）などの説明情報などを有している。
【００２９】
ＲＡＭ２６には、手書きメモ分類ラベルデータ２６ａおよび手書きメモ登録データ２６ｂが記憶される。
【００３０】
図３は、前記電子辞書装置１０のＲＡＭ２６に記憶される手書きメモ分類ラベルデータ２６ａの内容を示す図である。
【００３１】
手書きメモ分類ラベルデータ２６ａとしては、辞書検索された見出し語に対して貼り付ける手書きメモＭｍを分類するための分類ラベルＬｎ（図６参照）の名称「重要」「注意」「中間」…と、そのコードＬ１，Ｌ２，…とが対応付けられて記憶される。
【００３２】
図４は、前記電子辞書装置１０のＲＡＭ２６に記憶される手書きメモ登録データ２６ｂの内容を示す図である。
【００３３】
手書きメモ登録データ２６ｂとしては、ユーザ任意の見出し語と、当該見出し語に対し貼り付けされた手書きメモＭｍと、当該手書きメモＭｍに貼り付けされた分類ラベルのコードＬｎとが対応付けられて記憶される。
【００３４】
そして、前記キー入力部１４に設けた文字入力キー１４ａは、検索対象としてユーザ選択された辞書コンテンツから所望の見出し語を検索するための検索文字列（検索語）を入力する場合など、ユーザ所望の文字列を入力する際に操作される。
【００３５】
また、辞書指定キー１４ｂは、ユーザ任意の辞書を検索対象として指定する際に操作される。
【００３６】
「登録」キー１４ｃは、ユーザ任意の見出し語に対して手書き入力された手書きメモＭｍを貼り付けて登録する際に操作される。
【００３７】
「メモ」キー１４ｄは、前記ＲＡＭ２６内に手書きメモ登録データ２６ｂとして登録された手書きメモＭｍの呼び出し表示処理を実行する際に操作される。
【００３８】
「一括消去」キー１４ｅは、前記手書きメモＭｍの呼び出し表示処理において、ユーザ任意に指定した分類ラベルＬｎの手書きメモＭｍを一括消去する際に操作される。
【００３９】
「戻る」キー１４ｆは、現在処理中の動作を抜けて直前の処理に戻す際に操作される。
【００４０】
「機能」キー１４ｇは、当該電子辞書装置１０が有する各種の機能を選択するための機能メニューを表示させる際に操作される。
【００４１】
カーソルキー１４ｈは、表示画面上で任意のデータ項目を指定するための反転表示Ｈの位置を移動させたり、文字入力用のカーソル位置を移動させたりする際に操作される。
【００４２】
次に、前記構成の電子辞書装置１０による手書きメモの登録／呼び出しを伴う辞書表示機能について説明する。
【００４３】
図５は、前記電子辞書装置１０による手書きメモの登録／呼び出しを伴う辞書表示処理を示すフローチャートである。
【００４４】
図６は、前記電子辞書装置１０の辞書表示処理による手書きメモの登録に伴う手書き入力部１５の動作状態を示す図である。
【００４５】
キー入力部１４の辞書指定キー１４ｂのユーザ操作に応じて、辞書データベース２２Ｄに記憶されている任意の辞書コンテンツが選択されると、検索文字列の入力画面が表示部１６に表示される（ステップＳ１）。
【００４６】
この検索文字列の入力画面において、文字入力キー１４ａにより検索文字列（検索語）が入力されると（ステップＳ３）、当該検索文字列と先頭一致する見出し語が前記選択された辞書コンテンツから検索され（ステップＳ４）、この検索された見出し語と共にその説明情報が表示部１６に表示される（ステップＳ５）。
【００４７】
ここで、例えば英和辞書に基づき検索されたユーザ所望の見出し語「due」とその説明情報が表示された状態で、当該見出し語「due」に所望の手書きメモを貼り付けるため、図６（Ａ）に示すように、手書き入力部１５の手書き文字入力領域１５Ａにおいて、所望のメモ「〜toの形で使われる」Ｍ１をタッチペンＰにより手書きで入力すると（ステップＳ６（Ｙｅｓ））、その手書きメモＭ１の軌跡が手書き文字入力領域１５Ａに表示される（ステップＳ７）。この手書き文字入力領域１５Ａの右端には、分類ラベルの選択を指示するボタンＬ、手書きメモの開始を指示するボタンＴ、手書きメモの消去を指示するボタンＥが表示される。
【００４８】
そして、前記見出し語「due」に貼り付けする手書きメモ「〜toの形で使われる」Ｍ１を分類して管理するために、図６（Ａ）に示すように、分類ラベルの選択指示ボタンＬがペンタッチされると（ステップＳ８（Ｙｅｓ））、ＲＡＭ２６に記憶されている手書きメモ分類ラベルデータ２６ａ（図３参照）の各ラベル「重要」Ｌ１，「注意」Ｌ２，…，「関連」Ｌ８が読み出され、図６（Ｂ）に示すように、分類ラベルの表示領域１５Ｂに一覧表示される（ステップＳ９）。
【００４９】
ここで、前記手書きメモ「〜toの形で使われる」Ｍ１を貼り付ける見出し語「due」が学習上重要であるとして、分類ラベル「重要」Ｌ１がペンタッチされて選択されると（ステップＳ１０（Ｙｅｓ））、図６（Ｃ）に示すように、当該選択された分類ラベル「重要」Ｌ１が貼り付けされた手書きメモ「〜toの形で使われる」Ｍ１が手書き文字入力領域１５Ａに表示される（ステップＳ１１）。
【００５０】
そして、キー入力部１４の「登録」キー１４ｃが操作されると（ステップＳ１２（Ｙｅｓ））、現在検索表示中の選択見出し語「due」に対し、前記手書きメモ「〜toの形で使われる」Ｍ１とその分類ラベル「重要」Ｌ１とを対応付けた手書きメモ登録データ２６ｂが生成され（図４参照）、ＲＡＭ２６に登録される（ステップＳ１３）。
【００５１】
これにより、辞書検索された所望の見出し語に所望の手書きメモＭｍを貼り付け、さらにこれを複数種類の分類ラベルＬｎ…で分類して登録管理することができる。
【００５２】
このように、手書きメモＭｍを貼り付けて登録した見出し語について、当該手書きメモＭｍから所望の見出し語を呼び出すために、キー入力部１４の「メモ」キー１４ｄが操作されると（ステップＳ２（Ｙｅｓ））、図７におけるメモ表示処理へ移行される（ステップＳＡ）。
【００５３】
図７は、前記電子辞書装置１０の辞書表示処理に伴うメモ表示処理を示すフローチャートである。
【００５４】
図８は、前記電子辞書装置１０のメモ表示処理に伴う表示部１６の動作状態を示す図である。
【００５５】
前記キー入力部１４の「メモ」キー１４ｄの操作に応じて、図７におけるメモ表示処理が起動されると、ＲＡＭ２６内の手書きメモ登録データ２６ｂ（図４参照）に登録されている全ての手書きメモＭｍ…および当該各手書きメモＭｍ…に対応付けられた分類ラベル（コード）Ｌｎ…が読み出される。そして、図８（Ａ）に示すように、各手書きメモＭｍ…が登録順に、且つラベルコードの対応付けられた手書きメモＭｍにはその分類ラベル（「重要」「同音」など）Ｌｎが貼り付けられて、見出しメモ表示画面Ｇとして表示部（メイン画面）１６に一覧表示される（ステップＡ１）。
【００５６】
この際、見出しメモ表示画面Ｇには、その画面上端に沿って分類ラベルＬｎの種類を指定するための分類ラベル指定タブ「全て表示」Ｋ０〜「関連」Ｋ８が配列表示されるもので、メモ表示処理の初期状態では、先頭の分類ラベル指定タブ「全て表示」Ｋ０が指定され、前記手書きメモ登録データ２６ｂ（図４参照）に登録された全ての手書きメモＭｍ…が一覧表示される。
【００５７】
そして、前記見出しメモ表示画面Ｇに一覧表示された手書きメモＭｍ…のうち、先頭の手書きメモＭ１が反転表示Ｈにより選択され、当該選択された手書きメモＭ１は前記手書き入力部（サブ画面）１５にも並行して表示される（図６（Ｃ）参照）（ステップＡ２）。
【００５８】
なお、前記見出しメモ表示画面Ｇでは、例えば図８（Ａ）で示したように、反転表示Ｈにより選択されている手書きメモＭ１に対応付けられた見出し語「due」とその説明情報が辞書データベース２２Ｄから読み出され、説明情報プレビュー画面Ｄとして表示される。
【００５９】
この手書きメモＭｍ…の一覧表示状態にあって、キー入力部１４の上下カーソルキー１４ｈが操作されると（ステップＡ３（Ｙｅｓ））、一覧表示されている手書きメモＭｍ…の反転表示Ｈによる選択位置が、当該カーソル指示の方向に応じて送られる（ステップＡ４）。
【００６０】
すると、前記上下カーソルキー１４ｈの操作に応じて新たに選択されて反転表示Ｈされた手書きメモＭｍが、前記手書き入力部（サブ画面）１５にも並行して表示される（ステップＡ５）。
【００６１】
また、前記手書きメモＭｍ…の一覧表示状態にあって、キー入力部１４の左右カーソルキー１４ｈが操作されると（ステップＡ６（Ｙｅｓ））、例えば図８（Ａ）→（Ｂ）に示すように、分類ラベル指定タブ「全て表示」Ｋ０〜「関連」Ｋ８の指定位置が、当該カーソル指示の方向に応じて「全て表示」Ｋ０の位置から「重要」Ｋ１の位置に変更される（ステップＡ７）。
【００６２】
すると、この変更された分類ラベル指定タブ「重要」Ｋ１の分類ラベル（コード）Ｌ１に対応付けられて、前記手書きメモ登録データ２６ｂ（図４参照）に登録されている手書きメモＭ１だけが読み出され、同図８（Ｂ）に示すように、見出しメモ一覧画面Ｇに一覧表示される（ステップＡ８）。
【００６３】
この実施形態の具体例では、分類ラベル「重要」Ｌ１が貼り付けられて登録されている手書きメモＭｍは、見出し語「due」に貼り付けられた１つの手書きメモ「〜toの形で使われる」Ｍ１である場合を示している。
【００６４】
そして、この指定変更された分類ラベル「重要」Ｌ１が貼り付けられて一覧表示される手書きメモＭｍ…のうち、先頭の手書きメモＭ１が反転表示Ｈにより選択され、当該選択された手書きメモＭ１は前記手書き入力部（サブ画面）１５にも並行して表示される（図６（Ｃ）参照）（ステップＡ９）。
【００６５】
また、例えば図８（Ａ）または図８（Ｂ）で示したように、見出しメモ一覧画面Ｇが表示部（メイン画面）１６に表示されると共に、図６（Ｃ）で示したように、分類ラベル「重要」Ｌ１が貼り付けられた手書きメモ「〜toの形で使われる」Ｍ１が選択されて手書き入力部（サブ画面）１５に表示された状態で、同手書き入力部（サブ画面）１５に表示されている分類ラベル選択ボタンＬがペンタッチされると（ステップＡ１０（Ｙｅｓ））、前記ＲＡＭ２６に記憶されている手書きメモ分類ラベルデータ２６ａ（図３参照）の各ラベル（コード）「重要」Ｌ１，「注意」Ｌ２，…，「関連」Ｌ８が読み出され、図６（Ｂ）で示したように、同手書き入力部（サブ画面）１５の分類ラベルの表示領域１５Ｂに一覧表示される（ステップＡ１１）。
【００６６】
ここで、前記分類ラベルの表示領域１５Ｂに共に表示されているゴミ箱マークの消去ボタンＸがペンタッチされると（ステップＡ１２（Ｙｅｓ））、前記選択中の手書きメモ「〜toの形で使われる」Ｍ１に対応付けられて手書きメモ登録データ２６ｂに登録されている分類ラベル（コード）Ｌ１が削除され、図６（Ａ）で示したように、前記分類ラベル「重要」Ｌ１が貼り付けられていない手書きメモＭ１が表示される（ステップＡ１３）。
【００６７】
一方前記同様、例えば図６（Ｃ）で示したように、分類ラベル「重要」Ｌ１が貼り付けられた手書きメモ「〜toの形で使われる」Ｍ１が選択されて手書き入力部（サブ画面）１５に表示された後に、分類ラベル選択ボタンＬのペンタッチに応じて、図６（Ｂ）で示したように、各分類ラベル「重要」Ｌ１，「注意」Ｌ２，…，「関連」Ｌ８が分類ラベルの表示領域１５Ｂに一覧表示された状態で（ステップＡ１０→Ａ１１）、手書きメモＭ１をさらに別の分類ラベルＬｎによっても分類すべく分類ラベル「期末」Ｌ４がペンタッチされて選択されると（ステップＡ１４（Ｙｅｓ））、当該選択された分類ラベル「期末」Ｌ４が、前記分類ラベル「重要」Ｌ１に追加して貼り付けされた手書きメモ「〜toの形で使われる」Ｍ１が手書き文字入力領域１５Ａに表示され、手書きメモ登録データ２６ｂとして登録される（ステップＡ１５）。
【００６８】
これにより、もともと分類ラベルＬ１〜Ｌ８によって分類されていない手書きメモＭｍにユーザ任意の分類ラベルＬｎを貼り付けて分類し記憶管理できるのは勿論、異なる分類ラベルＬｎを追加で貼り付けて分類し記憶管理することもできる。
【００６９】
また、例えば図８（Ｂ）で示したように、分類ラベル指定タブ「全て表示」Ｋ０〜「関連」Ｋ８の中で、ユーザ指定のタブ「重要」Ｋ１に応じてその分類ラベル「重要」Ｌ１が貼り付けられて分類されている手書きメモ「〜toの形で使われる」Ｍ１が手書き文字入力領域１５Ａに表示されている状態で、キー入力部１４の「一括消去」キー１４ｅが操作されると（ステップＡ１６（Ｙｅｓ））、この時点において指定されている分類「重要」Ｌ１に対応付けられた手書きメモＭ１が手書きメモ登録データ２６ｂから一括消去される（ステップＡ１７）。
【００７０】
これにより、ユーザにとって必要がなくなった分類の手書きメモＭｍ…を容易に指定して一括消去することができる。
【００７１】
そして、前記一括消去された分類「重要」Ｌ１の次に続く何れかの分類Ｌｎに対応付けられた手書きメモＭｍが手書きメモ登録データ２６ｂに登録されていると判断された場合には（ステップＡ１８（Ｙｅｓ））、前記分類ラベル指定タブＫｎの指定位置が当該次の分類Ｌｎに対応して変更される（ステップＡ７）。
【００７２】
すると、この変更された分類ラベル指定タブＫｎの分類ラベル（コードＬｎに対応付けられて、前記手書きメモ登録データ２６ｂ（図４参照）に登録されている手書きメモＭｍだけが読み出され、見出しメモ一覧画面Ｇとして表示部（メイン画面）１６に一覧表示される（ステップＡ８）。
【００７３】
そして、この指定変更された分類ラベルＬｎが貼り付けられて一覧表示される手書きメモＭｍ…のうち、先頭の手書きメモＭ１が反転表示Ｈにより選択され、当該選択された手書きメモＭ１は前記手書き入力部（サブ画面）１５にも並行して表示される（ステップＡ９）。
【００７４】
なお、前記一括消去された分類「重要」Ｌ１の次に続く何れかの分類Ｌｎに対応付けられた手書きメモＭｍが手書きメモ登録データ２６ｂに登録されてないと判断された場合（ステップＡ１８（Ｎｏ））、またはキー入力部１４の「戻る」キー１４ｆが操作された場合には（ステップＡ１９（Ｙｅｓ））、前記一連のメモ表示処理が終了され辞書検索の初期状態に戻る。
【００７５】
次に、前記ＲＡＭ２６内の手書きメモ分類ラベルデータ２６ａにて記憶管理される各分類ラベルＬｎを編集する機能について説明する。
【００７６】
図９は、前記電子辞書装置１０における手書きメモＭｍの分類ラベルＬｎを編集するための処理を示すフローチャートである。
【００７７】
図１０は、前記電子辞書装置１０での分類ラベルＬｎの編集処理に伴う手書き入力部（サブ画面）１５および表示部（メイン画面）１６の表示動作を示す図である。
【００７８】
キー入力部１４の「機能」キー１４ｇが操作されることにより表示部１６に表示される各種機能の選択メニューから、「分類ラベルの編集」が選択決定されてその編集処理が起動されると（ステップＢ１）、分類ラベルＬｎの「追加」または「削除」または「変更」の何れかをユーザに選択させる編集画面が表示部（メイン画面）１６に表示される（ステップＢ２）。
【００７９】
この編集画面において、ユーザ操作に応じて「追加」が選択されたと判断されると（ステップＢ３（Ｙｅｓ））、追加したい分類ラベルＬｎの名称の入力をユーザに促すメッセージＭＳ（図１０（Ｂ）参照）が手書き入力部（サブ画面）１５に表示される。そして、この追加対象としてのラベル名称の入力要求メッセージＭＳに従い、キー入力部１４の文字入力キー１４ａが操作され、追加所望のラベル名称が入力され表示部１６に表示されると（ステップＢ４）、当該入力表示された名称の分類ラベルＬｎが生成されてＲＡＭ２６内の手書きメモ分類ラベルデータ２６ａとして新規登録される（ステップＢ５）。
【００８０】
一方、前記編集画面において、ユーザ操作に応じて「削除」が選択されたと判断されると（ステップＢ６（Ｙｅｓ））、ＲＡＭ２６内の手書きメモ分類ラベルデータ２６ａとして現在登録されている分類ラベルＬｎ…が読み出され、手書き入力部１５の分類ラベルの表示領域１５Ｂ（図１０（Ａ）参照）に一覧表示される。この分類ラベルＬｎ…を一覧にした表示領域１５Ｂにおいて、削除したい分類ラベルＬｎがペンタッチされて指定されると（ステップＢ７）、当該指定された分類ラベルＬｎとその手書きメモＭｍのデータが前記ＲＡＭ２６内の手書きメモ分類ラベルデータ２６ａから削除される（ステップＢ８）。
【００８１】
一方、前記編集画面において、ユーザ操作に応じて「変更」が選択されたと判断されると（ステップＢ９（Ｙｅｓ））、ＲＡＭ２６内の手書きメモ分類ラベルデータ２６ａとして現在登録されている分類ラベルＬｎ…が読み出され、図１０（Ａ）に示すように手書き入力部１５の分類ラベルの表示領域１５Ｂに一覧表示される。この分類ラベルＬｎ…を一覧にした表示領域１５Ｂにおいて、例えば破線Ｂｆで囲んで示す変更したい分類ラベル「重要」Ｌ１がペンタッチされて指定されると、図１０（Ｂ）に示すように変更後の分類ラベルＬ１の名称の入力をユーザに促すメッセージＭＳが手書き入力部（サブ画面）１５に表示される（ステップＢ１０）。
【００８２】
そして、この変更後のラベル名称の入力要求メッセージＭＳに従い、キー入力部１４の文字入力キー１４ａが操作され、所望のラベル名称「国語」が入力され表示部１６に表示されると、ＲＡＭ２６内の手書きメモ分類ラベルデータ２６ａにおいて、前記変更対象として指定された分類ラベル「重要」Ｌ１が、当該入力表示された名称の分類ラベル「国語」Ｌ１に書き換えられて登録されると共に、図１０（Ｃ）に破線Ａｆａで囲んで示すように、手書き入力部１５の分類ラベル表示領域１５Ｂには変更された名称の分類ラベル「国語」Ｌ１が表示される（ステップＢ１１）。
【００８３】
よってこの場合、前記図７におけるメモ表示処理に伴い、図１０（Ｄ）に示すように見出しメモ一覧画面Ｇに一覧表示される手書きメモ「〜toの形で使われる」Ｍ１に対しても、変更後の分類ラベル「国語」Ｌ１が貼り付けられて表示される。また破線Ａｆｂで囲んで示すように、同見出しメモ一覧画面Ｇに表示される分類ラベル指定タブＫ１に対しても、変更後の分類ラベルＬ１の名称「国語」が表示される。
【００８４】
これにより、所望の見出し語に貼り付けて登録する手書きメモＭｍを分類するための分類ラベルＬｎを、必要に応じて追加・削除・変更し自在に編集することができる。
【００８５】
したがって、前記構成の電子辞書装置１０による手書きメモの登録／呼び出しを伴う辞書機能によれば、所望の検索文字列（検索語）をキー入力して見出し語検索し表示部（メイン画面）１６に表示させた際に、手書き入力部（サブ画面）１５にて所望の手書きメモＭｍを入力し、同手書き入力部（サブ画面）１５に表示させた分類ラベル（「重要」「注意」「中間」「期末」など）Ｌｎ…の一覧から所望の分類ラベルＬｎをペンタッチして選択すると、当該所望の分類ラベルＬｎが貼り付けられて分類された手書きメモＭｍが前記検索された見出し語に対応付けられて登録される。そして、表示部（メイン画面）１６に一覧表示させた分類ラベル指定タブＫｎ…により所望の分類ラベルＬｎを指定すると、当該指定の分類ラベルＬｎが貼り付けられて登録された手書きメモＭｍが読み出されて同表示部１６に一覧表示され、この所望の分類の手書きメモＭｍから対応する見出し語とその説明情報を簡単に呼び出し表示させることができる。
【００８６】
また、前記構成の電子辞書装置１０による手書きメモの登録／呼び出しを伴う辞書機能によれば、前記表示部（メイン画面）１６に一覧表示させた分類ラベル指定タブＫｎ…により任意の分類ラベルＬｎを指定して「一括消去」キー１４ｅを操作すると、当該指定の分類ラベルＬｎに対応付けられて登録されている手書きメモＭｍ…が一括消去されるので、不要になった分類の手書きメモＭｍは当該分類毎に容易に消去することができる。
【００８７】
なお、前記実施形態において、手書きメモＭｍ…を分類する分類ラベル（「重要」「注意」「中間」「期末」など）Ｌｎ…には、それぞれそのラベルＬｎ…毎に赤，緑，青などの異なる色付けをすることで、手書き入力部１５に表示させた分類ラベルＬｎ…の一覧から所望の分類ラベルＬｎをペンタッチにより選択する場合や、表示部１６に表示させた分類ラベル指定タブＫｎ…から所望の分類ラベルＬｎを指定する場合に、ユーザ操作をより容易に且つ明確に行うことができる。
【００８８】
なお、前記実施形態において記載した電子辞書装置１０による各処理の手法、すなわち、辞書データベースを用いた図５のフローチャートに示す辞書表示処理、図７のフローチャートに示す前記辞書表示処理に伴うメモ表示処理、図９のフローチャートに示す分類ラベル編集処理などの各手法は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、手書き入力部１５を有する電子装置（１０）のコンピュータは、この外部記憶媒体２３に記憶された辞書データ及びプログラムを記憶装置（２２）に読み込み、この読み込んだプログラムによって動作が制御されることにより、前記実施形態において説明した分類可能な手書きメモの登録／呼び出しを伴う辞書機能を実現し、前述した手法による同様の処理を実行することができる。
【００８９】
また、前記各手法を実現するためのプログラム及びデータは、プログラムコードの形態としてネットワークＮ上を伝送させることができ、このプログラム及びデータを、ネットワークＮに接続された手書き入力部１５を有する電子装置（１０）のコンピュータに通信制御部２５によって取り込むことで、前述した分類可能な手書きメモの登録／呼び出しを伴う辞書機能を実現することもできる。
【００９０】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００９１】
【図１】本発明の実施形態に係る電子辞書装置１０の外観構成を示す正面図。
【図２】前記電子辞書装置１０の電子回路の構成を示すブロック図。
【図３】前記電子辞書装置１０のＲＡＭ２６に記憶される手書きメモ分類ラベルデータ２６ａの内容を示す図。
【図４】前記電子辞書装置１０のＲＡＭ２６に記憶される手書きメモ登録データ２６ｂの内容を示す図。
【図５】前記電子辞書装置１０による手書きメモの登録／呼び出しを伴う辞書表示処理を示すフローチャート。
【図６】前記電子辞書装置１０の辞書表示処理による手書きメモの登録に伴う手書き入力部１５の動作状態を示す図。
【図７】前記電子辞書装置１０の辞書表示処理に伴うメモ表示処理を示すフローチャート。
【図８】前記電子辞書装置１０のメモ表示処理に伴う表示部１６の動作状態を示す図。
【図９】前記電子辞書装置１０における手書きメモＭｍの分類ラベルＬｎを編集するための処理を示すフローチャート。
【図１０】前記電子辞書装置１０での分類ラベルＬｎの編集処理に伴う手書き入力部（サブ画面）１５および表示部（メイン画面）１６の表示動作を示す図。
【符号の説明】
【００９２】
１０  …手書き入力部を備えた電子辞書装置
１１  …本体ケース
１２  …蓋体ケース
１３  …ヒンジ部
１４  …キー入力部
１４ａ…文字入力キー
１４ｂ…辞書指定キー
１４ｃ…「登録」キー
１４ｄ…「メモ」キー
１４ｅ…「一括消去」キー
１４ｆ…「戻る」キー
１４ｇ…「機能」キー
１４ｈ…カーソルキー
１５  …手書き入力部（サブ画面）
１５ｔ…透明タブレット
１５Ａ…手書き文字入力領域
１５Ｂ…分類ラベル表示領域
１６  …液晶表示部（メイン画面）
２１  …ＣＰＵ
２２  …ＲＯＭ
２２Ｄ…辞書データベース
２２ａ…辞書検索プログラム
２２ｂ…手書き認識プログラム
２３  …外部記憶媒体
２４  …記憶媒体読み書き部
２５  …通信制御部
２６  …ＲＡＭ
２６ａ…手書きメモ分類ラベルデータ
２６ｂ…手書きメモ登録データ
３０  …Ｗｅｂサーバ
Ｇ    …見出しメモ表示画面
Ｌ    …分類ラベル選択指示ボタン
Ｔ    …手書きメモ開始指示ボタン
Ｅ    …手書きメモ消去指示ボタン
Ｌ１〜Ｌ８…分類ラベル
Ｍ１，Ｍ２，…手書きメモ
Ｋ０〜Ｋ８…分類ラベル指定タブ
Ｄ    …説明情報プレビュー画面
Ｈ    …反転表示
【図１】
2010097349.tif 000003
【図２】
2010097349.tif 000004
【図３】
2010097349.tif 000005
【図４】
2010097349.tif 000006
【図５】
2010097349.tif 000007
【図６】
2010097349.tif 000008
【図７】
2010097349.tif 000009
【図８】
2010097349.tif 000010
【図９】
2010097349.tif 000011
【図１０】
2010097349.tif 000012